(57)【要約】【課題】  光生体測定装置の送受光プローブと脳波計の電極を保持して両者の測定を同時に行うことのできるホルダーを提供する。【解決手段】  測定対象物の表面に沿って取り付けられるホルダーであって、光生体測定装置Ａの送受光プローブ４ａ、４ｂを保持するための複数のプローブ用ソケット２と、脳波計Ｂの電極５を保持するための複数の電極用ソケット３を備えた構造。【選択図】図２
2006223503.tif 000002
【特許請求の範囲】
【請求項１】
測定対象の生体表面に沿って取り付けられるホルダーであって、光生体測定装置の送受光プローブを保持するための複数のプローブ用ソケットと、脳波計の電極を保持するための複数の電極用ソケットを備えたホルダー。
【請求項２】
前記ホルダーは送受光プローブを保持するための左右一対のプローブ用ソケットを一定の間隔をあけて具備する板状のホルダー部品を含み、複数のホルダー部品が前記プローブ用ソケット部位を枢軸として互いに回動可能に格子状に連結されて網状体が構成されており、前記ホルダー部品の左右のプローブ用ソケットの間に前記脳波計の電極用ソケットが設けられていることを特徴とする請求項１に記載のホルダー。
【請求項３】
前記ホルダーは送受光プローブを保持するための左右一対のプローブ用ソケットを一定の間隔をあけて具備する板状のホルダー部品を含み、複数のホルダー部品が前記プローブ用ソケット部位を枢軸として互いに回動可能に格子状に連結されて網状体が構成されており、この網状体の目に相当する空間に脳波計の電極用ソケットが配置されていることを特徴とする請求項１に記載のホルダー。
【請求項４】
網状体の空間に配置される脳波計の電極用ソケットは、ホルダー部品に保持された支持板に形成されていることを特徴とする請求項３に記載のホルダー。
【請求項５】
前記ホルダーは網状体と測定対象物との間に介在される外光遮断用の布状材を含み、前記網状体の空間に配置される脳波計の電極用ソケットがこの布状材に形成されていることを特徴とする請求項３に記載のホルダー。
【請求項６】
請求項１から請求項５のいずれかのホルダーを用いて、光生体計測および脳波計測を同時または片方ずつ順次行うことを特徴とする複合生体測定装置。
【発明の詳細な説明】
【技術分野】
【０００１】
本発明は、生体内情報を測定するために、生体の対象測定部位表面に装着するプローブや電極を保持するホルダー、および、そのようなホルダーを用いた複合生体測定装置に関する。
【背景技術】
【０００２】
従来、被驗者に強い姿勢拘束を課さないで脳機能を測定する手法として光生体測定装置と、脳波計とがある。光生体測定装置は、血液中で酸素を輸送するヘモグロビンが酸素化（酸化ヘモグロビン）したり、脱酸素化（還元ヘモグロビン）することによって、分光吸収係数が近赤外領域で大きく変化する現象を利用し、送光プローブから入射した近赤外光の測定光を数センチ離れた箇所にある受光プローブで計測して透過散乱光の変化の量を調べるものであって、例えば特許文献１並びに特許文献２に示すものがある。また脳波計は、脳細胞の電気活動を頭部表面から電極を通して計測するもので古くから知られている。
【特許文献１】特開平０８−４３２９５号公報  特開平０９−９８９７２号公報
【発明の開示】
【発明が解決しようとする課題】
【０００３】
脳波計は、時間分解能が高くて使用勝手がよく、且つ現在までの多くの蓄積データーを利用できる反面、導出される信号には生体内部に起因する背景雑音が混入して信号に明瞭性が欠き、空間分解能が低いといった課題がある。一方、光生体測定装置は、人間において特に発達した高次脳機能に強く関連をもつ大脳皮質の無侵襲計測が可能であり、且つ空間分解能が高いため、高次脳機能を知る上で非常に有効な手法であるが、時間分解能が低いといった欠点がある。
したがって従来は、必要に応じて光生体測定装置による測定と、脳波計による測定を個別に行っている。しかし、個別に測定した場合、光生体測定装置の送受光プローブで計測した計測対象部位を脳波計で正確に測定することは難しく、且つ測定者並びに被驗者に余分な時間と負担を強いることになる。
また現在では、神経電位の変化とヘモダイナミックレスポンス（ヘモグロビンの脳力学的反応）との関係は十分に解明されておらず、その解明に貢献できる装置も開示されていない。
【０００４】
そこで本発明は、光生体測定装置による測定と脳波計による測定を同時に達成できるようにし、もって両者の欠点を補うと共に長所を合わせ持った生体測定ができるようにしたホルダーを提供することを主たる目的とするものである。
【０００５】
更に本発明の他の目的は、現在解明されていない神経電位の変化とヘモダイナミックレスポンスとの関係の解明に貢献することのができるホルダーおよびそのようなホルダーを用いた複合生体計測装置を光生体計測および脳波計測を同時または片方ずつ順次行うことを特徴とする複合生体測定装置。
提供することにある。
【課題を解決するための手段】
【０００６】
上記目的を達成する為に本発明では次のような技術的手段を講じた。即ち、本発明は、測定対象の生体表面に沿って取り付けられるホルダーであって、光生体測定装置の送受光プローブを保持する複数のプローブ用ソケットと脳波計の電極を保持する複数の電極用ソケットを備えた構造とした。
【発明の効果】
【０００７】
本発明のホルダーは上記のごとく構成したから、このホルダーを使用することによって光生体測定装置による測定と脳波計による測定を同時に達成でき、もって両者の欠点を補うと共に長所を合わせ持った生体測定が可能となる。また、現在解明されていない神経電位の変化とヘモダイナミックレスポンス（ヘモグロビンの脳力学的反応）との関係の解明にも大きく貢献することができるといった効果がある。
【０００８】
（その他の課題を解決するための手段及び効果）
上記発明において、前記ホルダーは送受光プローブを保持するための左右一対のプローブ用ソケットを一定の間隔をあけて具備する板状のホルダー部品を含み、複数のホルダー部品を前記プローブ用ソケット部位を枢軸として互いに回動可能に格子状に連結することによって実質的なホルダーとなる網状体を構成し、前記ホルダー部品の左右のプローブ用ソケットの間に前記脳波計の電極用ソケットを設けるようにするのがよい。
これにより、ホルダー部品同士の連結角度が自由に変更できて網状体、即ちホルダーを測定対象物の形状、例えば人体頭部の形状に沿った椀状の形態に形成することができると共に、送受光プローブを通った赤外光による測定部位を脳波計で正確に測定することができ、より精密な生体測定が可能となると共に、神経電位の変化とヘモダイナミックレスポンスとの関係の解明にも役立てることができる。
【０００９】
また、本発明では前記網状体の目に相当する空間に脳波計の電極用ソケットを配置するようにしてもよい。この場合、電極用ソケットは、ホルダー部品に保持された支持板に形成してもよく、或いは網状体と測定対象物との間に外光遮断用の布状材を介在させ、この布状材に電極用ソケットを保持させる構造とするのがよい。
網状体の目に相当する空間部に脳波計の電極用ソケットを配置することにより、多数の電極用ソケットと光生体測定装置のプローブ用ソケットがバランスよく配置されてソケットに対するプローブや電極の着脱が容易となると共にコードが絡むことを防止することができる。また布状材を網状体下面に介在させることにより外光が送受光プローブ部分にあたって測定に悪影響を与えることを防止することができる。
【００１０】
また、別の観点からなされた本発明の複合生体装置は、上述したいずれかのホルダーを用いて、光生体計測および脳波計測を同時または片方ずつ順次行うようにしている。
これにより、光生体測定装置による測定と脳波計による測定を同時あるいは、個別に準じ測定することができ、両者の欠点を補うと共に長所を合わせ持った生体測定が可能となる。
【発明を実施するための最良の形態】
【００１１】
以下において本発明にかかるホルダーについて図面を用いて説明する。図１〜図５は本発明にかかるホルダーの第１実施例を示すものであって、符号１はホルダー部品である。このホルダー部品１は両端に光生体測定装置のプローブ用ソケット２を嵌め込むための穴１ａ，１ａと、中間部に脳波計の電極用ソケット３を保持するための穴１ｂを備えている。ホルダー部品１は、ポリプロピレン、ポリ塩化ビニル、ポリアセタールなどの樹脂材料から細長い小判状の板材に形成され、伸縮性はなく厚み方向にだけ可撓性が付与されている。本実施例にあっては厚みが０．１mm、幅が１６mm、長さが４６mm、両端の穴１ａ、１ａのピッチが３０mmで形成されている。
【００１２】
ホルダー部品１の穴１ａに嵌め込まれるプローブ用ソケット２は、筒状のソケット本体２ａとナット部材２ｂとから構成される。ソケット本体２ａは上下に貫通するプローブ挿通孔２ｃと、上部外周面に形成された外ネジ２ｄと、外ネジ２ｄの下端に形成された大径の鍔部２ｅと、鍔部下面に取り付けられたリング状のクッション材２ｆとから構成され、前記ソケット本体２ａを穴１ａの下方から鍔部２ｅが穴１ａのエッジに当接するまで挿入し、上部からナット部材２ｂを外ネジ２ｄに螺合して鍔部２ｅとの間で板状のホルダー部品１を挟むことによりソケット本体２ａがホルダー部品１に取り付けられる。
【００１３】
電極用ソケット４を取り付けるための穴１ｂは、電極５を差し込む穴１ｃを取り囲むようにして複数形成されている。電極用ソケット３はホルダー部品１に取り付けたときに前記穴１ｃと同軸となる貫通穴３ａを備えた筒状のソケット本体３ｂと、該ソケット本体３ｂの上端面に形成されたピン状突起３ｃとからなり、このピン状突起３ｃが下方から穴１ｂに嵌合することによりソケット本体３ｂがホルダー部品１に取り付けられている。勿論、ソケット本体３ｂとホルダー部品１との結合には接着剤を用いてもよい。
【００１４】
多数のホルダー部品１の端部同士を前記プローブ用ソケット２の部位で連結することにより実質的なホルダーとなる網状体１０が形成されている。即ち、図２並びに図３に示すように、ナット部材２ｂと鍔部２ｅとの間で複数枚のホルダー部品１を挟み付けることにより、ホルダー部品同士の連結とプローブ用ソケット２の取付がなされている。この際、ナット部材２ｂの締付けを緩めにしてホルダー部品同士が回動できるようにしておけば、ホルダー部品同士の連結角度が自由に変更できて網状体、即ちホルダーを測定対象物の形状、例えば人体頭部の形状に沿った椀状の形態に形成することができる。ホルダー形状が決まった後はナット部材２ｂを強く締め付けることにより形状を固定することができる。      
【００１５】
上記のホルダーは、図３に示すように、ホルダー部品１の一方のプローブ用ソケット２に光生体測定装置Ａの送光プロ−ブ４ａを、他方のプローブ用ソケット２に受光プロ−ブ４ｂを差し込み、中間の電極用ソケット３に脳波計Ｂの電極５を差し込んで使用することにより、光生体測定装置Ａによる測定と脳波計Ｂによる測定を同時に実施することができる。この際、送光プローブ４ａと受光プローブ４ｂとの間に脳波計の電極５が配置されるので、光生体測定装置Ａによる測定部位、即ち送受光プローブ４ａ、４ｂを通った赤外光による測定部位の脳波を、脳波計Ｂにより正確に測定することが可能となる。
なお、本実施形態では、光生体測定装置Ａと脳波計Ｂとの測定を同時に行っているが、個別に順次行うようにしてもよい。
【００１６】
図６並びに図７は本発明の別の実施例を示すものであって、この実施例ではに脳波計Ｂの電極用ソケット３が配置されている。このソケット３は図７に示すようにホルダー部品１に保持された支持板３ｄの先端部に形成された穴１ｂに先の実施例と同じ形態のソケット本体３ｂが同様な手段で保持されている。また支持板３ｄは厚み方向に沿って形成した溝３ｅをホルダー部品１に側方から差し込み、ホルダー部品１に設けた係合ピン１ｄを支持板３ｄの係合溝３ｆに係合させることにより取り付けられている。この実施例では、ホルダー部品１の一方のプローブ用ソケット２に光生体測定装置Ａの送光プロ−ブ４ａを、他方のプローブ用ソケット２に受光プロ−ブ４ｂを差し込み、電極用ソケット３に脳波計Ｂの電極を差し込んで計測したときは、送受光プローブ４ａ、４ｂを通った赤外光による測定部位の近傍を脳波計で計測することになるが、電極用ソケット３を挟んだ対角線上にあるプローブ用ソケットの一方に送光プロ−ブ４ａを、他方に受光プロ−ブ４ｂを差し込むことにより、送受光プローブ４ａ、４ｂを通った赤外光による測定部位を脳波計で正確に測定することができる。
【００１７】
図８〜図１０は更に本発明の別の実施例を示すものであって、この実施例では網状体１０と測定対象物との間に介在して使用される柔軟な外光遮断用の布状材１１を含み、網状体１０の目に相当する空間に配置される脳波計ｂの電極用ソケット３がこの布状材１１に取り付けられている。このソケット３は図１０に示すように、筒状のソケット本体３ｇの内面に形成した内ネジ３ｈに、貫通穴を有するフランジ部材３ｊの外ネジ３ｋを螺合してソケット本体３ｇとフランジ部材３ｊとの間で布状材１を狭着することにより布状材１にに取り付けられている。また布状材１には網状体１０の下面から突出する送受光プローブ４ａ、４ｂの下部を挿通するための穴１１ａが設けられている。布状材１１は光生体測定装置による測定時に外光が送受光プローブ部分にあたって測定に悪影響を与えることを防止する。
【００１８】
以上本発明の代表的な実施例について説明したが、本発明は必ずしも上記の実施例構造のみに特定されるものではない。例えば、ホルダー部品に対するプローブ用ソケットや電極用ソケットの取付手段については修正、変更が可能である。またホルダー自体の形態もヘルメットのように一体的な構造体で形成することが可能である。その他本発明ではその構成要件を備え、且つ効果を有する範囲内で適宜変更して実施できることは勿論である。
【産業上の利用可能性】
【００１９】
本発明は、光生体測定装置の送受光プローブと脳波計の電極を保持して両者の測定を同時に行うことのできるホルダーとして利用できる。
【図面の簡単な説明】
【００２０】
【図１】本発明にかかるホルダーの一部を示す分解斜視図。
【図２】上記ホルダー部品をソケットと共に組み付けた状態を示す一部の斜視図。
【図３】図２において送受光プローブと電極を取り付けた状態を示す断面図。
【図４】ソケットを取り付けたホルダー部品を網状体に組成した状態を示す一部の平面図。
【図５】本発明のホルダーを人体頭部に装着した状態を示す側面図。
【図６】本発明にかかるホルダーの別の実施例を示す一部の平面図。
【図７】図６で示した実施例における電極用ソケット部分の分解斜視図。
【図８】本発明にかかるホルダーの更に別の実施例を示す一部の平面図。
【図９】図８で示した実施例に於ける布状材を示す一部の斜視図。
【図１０】上記布状材に電極用ソケットを取り付けた状態を示す断面図。
【符号の説明】
【００２１】
Ａ  光生体測定装置
Ｂ  脳波計
１  ホルダー部品
２  プローブ用ソケット
３  電極用ソケット
４ａ  送光プローブ
４ｂ  受光プローブ
５  電極
１０  網状体
１１  布状材
【図１】
2006223503.tif 000003
【図２】
2006223503.tif 000004
【図３】
2006223503.tif 000005
【図４】
2006223503.tif 000006
【図５】
2006223503.tif 000007
【図６】
2006223503.tif 000008
【図７】
2006223503.tif 000009
【図８】
2006223503.tif 000010
【図９】
2006223503.tif 000011
【図１０】
2006223503.tif 000012